(57)【要約】【課題】  簡単な構造を有して組立性及び据付性が優れるとともに、安価なエレベータのかご室の照明装置を得る。【解決手段】  エレベータのかご室の上方に設置され、透光孔が設けられた樹脂製の照明板と、この照明板及びかご室天井の間に設けられた光源と、透光孔を塞ぐように照明板に溶着された透明アクリルブロックと、かご室内の乗客が透明アクリルブロックを介してかご室天井に設置された光源の形状や樹脂製の照明板より上方の構造を認識することができないように透明アクリルブロックの上面に生成された光拡散部とを備える。【選択図】      図３
2005298110.tif 000002
【特許請求の範囲】
【請求項１】
エレベータのかご室の上方に設置され、透光孔が設けられた樹脂製の照明板と、この照明板及びかご室天井の間に設けられた光源と、前記透光孔を塞ぐように前記照明板に溶着された透明アクリルブロックと、この透明アクリルブロックの上面に生成された光拡散部とを備えたことを特徴とするエレベータのかご室の照明装置。
【請求項２】
光拡散部は、透明アクリルブロック上面に塗布されたビーズ入りクリア塗装であることを特徴とする請求項１に記載のエレベータのかご室の照明装置。
【請求項３】
光拡散部は、透明アクリルブロック上面に施されたなし地仕上げであることを特徴とする請求項１に記載のエレベータのかご室の照明装置。
【請求項４】
光拡散部は、透明アクリルブロック上面に塗布された所定の透過率を有する白色塗装又は有色塗装であることを特徴とする請求項１に記載のエレベータのかご室の照明装置。
【請求項５】
透光孔が設けられた樹脂製の照明板に、この透光孔を塞ぐように透明アクリルブロックを配置する工程と、前記照明板及び前記透明アクリルブロックを溶着する工程と、前記透明アクリルブロックの上面に光拡散部を生成する工程とを備えたことを特徴とするエレベータのかご室照明装置の製造方法。
【発明の詳細な説明】
【技術分野】
【０００１】
この発明は、エレベータのかご室の天井に設けられた照明装置及びその製造方法に関するものである。
【背景技術】
【０００２】
従来のエレベータのかご室の照明装置には、照明器具を固定する天蓋から吊り下げられた吊天井の複数の透光孔に装着された長尺アクリルブロックと、この長尺アクリルブロックの上に載置された乳白アクリル板と、長尺アクリルブロックの間の吊天井上面に固定され、両端部が外側に開いたテーパーのある側部を有する断面がＵ字形状のテーパーＵ字形状補強部材と、弾性を有する断面が逆Ｕ字形状の押え金とが備えられ、テーパーＵ字形状補強部材に嵌合装着された押え金の両端部によって、長尺アクリルブロックと乳白アクリル板とが上方から押え付けられて固定されているものがある（例えば、特許文献１参照）。
【０００３】
【特許文献１】特開平９−１０００８１号公報
【発明の開示】
【発明が解決しようとする課題】
【０００４】
特許文献１記載のエレベータのかご室の照明装置では、吊天井の透光孔に装着された長尺アクリルブロックとこの長尺アクリルブロックの上に乗せられた乳白アクリル板とが、テーパーＵ字形状補強部材に嵌合装着された弾性を有する押え金によって押え付けられて固定されているため、その組立に際してボルトの締付作業を必要とせず、組立の容易化及び組立作業時間の短縮化が図られている。しかし、このエレベータのかご室の照明装置には、吊天井に設けられるテーパーＵ字形状補強部材や長尺アクリルブロック、乳白アクリル板、押え金等、部品点数が多くなってしまうという問題があった。また、組立時のボルトの締付作業を排除するためには、テーパーＵ字形状補強部材を溶接によって吊天井に固定する必要があるため、溶接後の歪取り作業が発生して安価な製造が困難となるとともに、溶接のためには鋼板製のテーパーＵ字形状補強部材と吊天井とを使用する必要があるため、照明装置全体の重量が増加して運搬性及び据付性が悪化するという問題も生じていた。
【０００５】
この発明は、上述のような課題を解決するためになされたもので、その目的は、簡単な構造を有して組立性及び据付性が優れるとともに、安価なエレベータのかご室の照明装置を提供することである。
【課題を解決するための手段】
【０００６】
この発明に係るエレベータのかご室の照明装置は、エレベータのかご室の上方に設置され、透光孔が設けられた樹脂製の照明板と、この照明板及びかご室天井の間に設けられた光源と、透光孔を塞ぐように照明板に溶着された透明アクリルブロックと、この透明アクリルブロックの上面に生成された光拡散部とを備えたものである。
【発明の効果】
【０００７】
この発明は、エレベータのかご室の上方に設置され、透光孔が設けられた樹脂製の照明板と、この照明板及びかご室天井の間に設けられた光源と、透光孔を塞ぐように照明板に溶着された透明アクリルブロックと、この透明アクリルブロックの上面に生成された光拡散部とを備える構成としたことで、簡単な構造を有して組立性及び据付性が優れるとともに、安価に提供することができる。
【発明を実施するための最良の形態】
【０００８】
実施の形態１．
図１はこの発明の実施の形態１におけるエレベータのかご室の照明装置の平面図、図２はこの発明の実施の形態１における図１のＡ−Ａ断面図、図３はこの発明の実施の形態１における図２のＢ部詳細図である。図において、エレベータのかご室天井１には、樹脂製照明板２が吊具３を介してかご室天井１と平行となるように吊り下げられており、このかご室天井１と樹脂製照明板２との間に、かご室内を照らす複数の光源４が配置されている。エレベータのかご室の上方に設置されたこの樹脂製照明板２には、下方から上方を透視することができない構造や着色、処理等が施されており、かご室内の乗客が樹脂製照明板２を介してかご室天井１に設置された光源４の形状や樹脂製照明板２より上方の構造を認識することができないようになっている。また、この樹脂製照明板２には、その全面に渡って略長方形状の複数の透光孔２ａが任意の位置に設けられている。このそれぞれの透光孔２ａに設けられた透明アクリルブロック５は、透光孔２ａの幅よりも僅かに狭い幅を有し、下方に向かうに従ってその幅が狭くなる略直方体状の下部と、透光孔２ａの幅よりも大きな幅を有する略直方体状の上部とから構成されており、この下部の一部が透光孔２ａを介して樹脂製照明板２の下方に突出し、且つ、この上部によって透光孔２ａが上方から塞がれるように、透明アクリルブロック５の上部下面と樹脂製照明板２の非意匠面である上面とが溶着固定されている。また、透明アクリルブロック５の上部上面及び上部側面には、かご室内の乗客が透明アクリルブロック５を介してかご室天井１に設置された光源４の形状や樹脂製照明板２より上方の構造を認識することができないような塗装や処理等が施された光拡散部５ａが備えられている。
【０００９】
次に、このかご室の照明装置の製造方法について説明する。
先ず、透光孔２ａが設けられた樹脂製照明板２に、この透光孔２ａを塞ぐように透明アクリルブロック５を挿入して、樹脂製照明板２の非意匠面と透明アクリルブロック５の上部下面とが接触するように配置する。次に、樹脂製照明板２と透明アクリルブロック５の接触部を加熱して、樹脂製照明板２と透明アクリルブロック５とを溶着固定する。なお、樹脂製照明板２上面と透明アクリルブロック５の上部下面とを溶着するには、樹脂製照明板２及び透明アクリルブロック５の溶着部を予め加熱しておき、透明アクリルブロック５を樹脂製照明板２の透光孔２ａに嵌め込むことで溶着する方法も考えられる。その後、透明アクリルブロック５の上部上面及び上部側面に、光拡散部５ａを生成する。光拡散部５ａを生成するには、例えば、無数のビーズが塗料の中に入れられたビーズ入りクリア塗装等の光拡散塗装を透明アクリルブロック５の上部上面及び上部側面に塗布するものがある。また、ショットブラストによるなし地仕上げ等の光拡散処理を透明アクリルブロック５の上部上面及び上部側面に施すものもある。なお、ショットブラストによるなし地仕上げによって光拡散部５ａを生成する場合には、予め透明アクリルブロック５の上部上面及び上部側面になし地仕上げを施しておき、光拡散部５ａ生成後の透明アクリルブロック５を樹脂製照明板２に配置して溶着することも可能である。
【００１０】
この発明の実施の形態１によれば、かご室天井１から吊り下げられる照明板を樹脂製にして、この樹脂製照明板２と透明アクリルブロック５とを溶着によって固定しているため、従来のように、透明アクリルブロック５をボルトにより締結固定したり、弾性を有する押え金で押え付けて固定したりする必要がなく、照明装置全体の部品点数を大幅に削減できるとともに、組立性も大幅に向上し安価な照明装置を提供することが可能となる。また、樹脂製照明板２と透明アクリルブロック５とは共に樹脂製であるため、軽量で運搬性や据付性に優れる一方、溶着によって一体化しているため、剛性に問題が生じる恐れはない。また、透明アクリルブロック５の上面には光拡散部５ａが備えられているため、かご室内の乗客が透明アクリルブロック５を介してかご室天井１に設置された光源４の形状や樹脂製照明板２より上方の構造を認識することはできず、さらに、透明アクリルブロック５は樹脂製照明板２に溶着固定されているため、その接合面に埃等の異物が入り込む恐れはなく、簡単な構造で意匠性に優れたエレベータかご室を提供することが可能となる。
【００１１】
なお、実施の形態１では、光拡散部５ａとして透明アクリルブロック５の上部上面及び上部側面にビーズ入りクリア塗装が塗布されたり、なし地仕上げが施されたりしているが、このビーズ入りクリア塗装やなし地仕上げの代わりに、従来から使用されていた乳白アクリル板と同等の透過率を有する白色又は有色の塗装を塗布することによって実施の形態１と同様の効果を得ることもできる。この場合、透明アクリルブロック５を塗装によって任意の色に着色することができるため、意匠性の良いエレベータのかご室の照明装置を提供することも可能となる。
【図面の簡単な説明】
【００１２】
【図１】この発明の実施の形態１におけるエレベータのかご室の照明装置の平面図である。
【図２】この発明の実施の形態１における図１のＡ−Ａ断面図である。
【図３】この発明の実施の形態１における図２のＢ部詳細図である。
【符号の説明】
【００１３】
１  かご室天井
２  樹脂製照明板
２ａ  透光孔
３  吊具
４  光源
５  透明アクリルブロック
５ａ  光拡散部
【図１】
2005298110.tif 000003
【図２】
2005298110.tif 000004
【図３】
2005298110.tif 000005